(57)【特許請求の範囲】
【請求項１】
冠状端部及び頂点部を有する多孔のタンタルのインプラント本体であって、縦方向の中心軸を画定するインプラント本体と、
前記本体内を伸びる複数の補強部材であって、本体の冠状端部から頂点部へと伸びる方向に、本体の中心軸と心は合っているが、内側へ角度がついており、複数の補強部材のそれぞれが長く伸びた棒状として構成され、複数の補強部材の少なくとも一つが、本体の多孔のタンタルの少なくとも一部分で、長手方向の中心軸から半径方向に離間している複数の補強部材と、
前記本体の冠状端部に配置された支台歯コネクタとを含み、
前記複数の補強部材は、前記支台歯コネクタから伸び、かつ前記支台歯コネクタに接続し、
前記本体とは異なる材料からなり、長手方向の中心軸に沿って伸びて、複数の補強部材から離間しているコアをさらに有する歯科用インプラント。
【請求項２】
複数の補強部材は、長手方向の中心軸の回りに均等に離間して配置されている請求項１記載の歯科用インプラント。
【請求項３】
本体の断面の大きさが変化する請求項１記載の歯科用インプラント。
【発明の詳細な説明】
【技術分野】
【０００１】
本願は、その全部がこの出願に組み込まれている米国仮特許出願第60/712,577号（２００５年８月３０日出願）についての優先権を主張する。本願は歯科用インプラントに関すし、特に、改良されたオッセオインテグレーションの特徴を有する歯科用インプラントに関する。
【背景技術】
【０００２】
歯科用インプラントは、患者本人の歯が失われるか又は損傷を受けた場合に、歯のない一つ以上の場所に義歯を挿入するための歯科用修復用の係止部材として一般に使用されている。代表的には、公知のインプラントシステムは、チタンのような適切な生体適合材料から製造された歯科用インプラントを含んでいる。歯科用インプラントは、患者の歯のない場所の下顎骨または上顎に孔をあけて、その孔にネジ込まれる。インプラントは、このインプラントと歯科用修復材料との間のインタフェースとなる歯科用支台歯としての係合部材を備えている。その修復は、一般に公知の方法によって形成される磁器の歯冠である。
【０００３】
多くの現代の歯科用インプラント手術は２段階で実行される。最初の段階または第一段階で、患者の歯のない場所の歯茎に切開が施される。歯のない場所の下顎骨または上顎に孔があけられ、適切なドライバーを使用してその孔の中に歯科用インプラントがネジ込まれるか又は詰め込まれる。その後、インプラントの支台歯結合構造を閉じるためにキャップがインプラントに被せられる。そして、歯茎とインプラントが縫い合わされる。数カ月の期間を経て、患者のインプラントの回りの顎の骨が成長し、回りの骨の中にインプラントを係止する（オッセオインテグレーション(osseointegration)として知られているプロセス）。
【０００４】
オッセオインテグレーションの第二段階において、歯科医はインプラントの場所の歯茎を再度開き、インプラントに支台歯および選択的に仮の人工的補欠物または仮の治療部材を固定する。それから、支台歯および周囲の歯茎の組織および歯の状態から取られた歯型から適切な永久の人工的補欠物または歯冠が作られる。最終段階において、仮の人工的補欠物または治療部材が取り除かれて、永久の人工的補欠物と置換され、永久の人工的補欠物は、例えば、セメントまたは締結部材で支台歯に取り付けられる。
【０００５】
周囲の骨への既存の歯科用インプラントのオッセオインテグレーションが適正であることは分かっているけれども、歯科用インプラントのオッセオインテグレーションにおけるさらなる改良が望まれている。
【発明の開示】
【課題を解決するための手段】
【０００６】
本発明は、周囲の骨への歯科用インプラントのオッセオインテグレーションを向上するために、少なくとも部分的に多孔のタンタルのような高多孔性のバイオマテリアルから製造された歯科用インプラントを提供する。一実施形態において、歯科用インプラントはチタンから形成されたコアを含んでいる。コアは、例えば、支台歯インタフェースを含む頭部と、該頭部から伸びた軸部とを有している。多孔のタンタルのスリーブが軸部の回りに配置され、インプラントの実質的部分またはインプラントと骨とのインタフェースの実質的部分を占める。インプラントの移植の後、骨の組織は多孔のタンタルのスリーブとオッセオインテグレートし、周囲の骨内にあるインプラントに係止される。インプラントの他の実施形態が提供される。各インプラントは、改良されたオッセオインテグレーションのために、少なくとも一部が多孔のタンタルで形成されている。
【０００７】
一形態において、本発明は、コアと、該コアに接続された少なくとも一つの多孔のタンタル部分とを有する歯科用インプラントを提供する。歯科用インプラントは、さらに支台歯インタフェースを含む頭部と、該頭部から突出した軸部とを有している。多孔のタンタル部分は、コアの軸部の回りに配置されたスリーブを有している。コアは、該コアと一体的に形成された支台歯を有している。
【０００８】
別の形態において、本発明は、多孔のタンタルで実質的に形成された本体と、該本体内に少なくとも部分的に延びる孔とを有する歯科用インプラントを提供する。本体は、外表面と、外表面から伸びる少なくとも一つのリブとを有している。
【０００９】
さらに別の実施形態において、コアは、多孔の本体を通って伸びる螺旋状のネジのような突出部を有している。別の形態において、多孔の本体は本体内を伸びる補強部材を有している。補強部材は、歯科用インプラントの頭部と接続することもできるし、接続しなくてもよい。一形態において、頭部は多孔の本体上に押しはめあいによって形成される。
【発明を実施するための最良の形態】
【００１０】
対応する参照番号は、複数の図面における対応する部品を示す。ここで述べる実施形態は本発明の好ましい実施形態を示し、本発明の技術的範囲を限定するものと解釈すべきではない。
【００１１】
図１において、歯科用インプラント２０が示されている。インプラント２０は円柱形状
または先細り形状である。インプラント２０は、チタンのような適切な生体適合材料からなるコア２２と、多孔のチタンからなるスリーブ２４とを有している。コア２２は、インプラント２０の冠状部または基端部２８に配置された頭部２６と、インプラント２０の頂点または末端部３２に向かって頭部２６から突出している軸部３０とを有している。軸部３０は頭部２６に比べて幅またはプロフィル（断面）が多少減少している。コア２２の頭部２６は、支台歯インタフェース構造を有しており、支台歯インタフェース構造は内側六角形３４と、後記するように、インプラント２０に歯科用支台歯３８ａを取り付けるための内ネジ孔３６とを有している。インプラント２０と支台歯３８ａとの間の支台歯インタフェース構造は、後記する支台歯３８ａの外側六角形を受け入れるインプラント２０内の内側六角形３４として示されているけれども、上記は逆にすることもできる。インプラントと支台歯の間のインタフェースの他の種類のものは当業界においてよく知られており、米国特許第5,449,291号明細書に示され、図１０において破線で示されているキー溝のようなものである。その米国特許の開示は本願に含まれており、八角形、丸い突出形状のような他の幾何学的形状を採用することもできる。
【００１２】
スリーブ２４は、セメントのような適切な手段を介して、又はスリーブ２４をコア２２に対して焼成することによってコア２２に固定される。ここに示すように、スリーブ２４はコア２２の頭部２６の下端部２７と当接しており、スリーブ２４はコア２２の軸部３０を実質的に包んでおり、コア２２の軸部３０の端部２９の直下まで伸びている。このように、基端部２８から末端部３２に至るインプラント２０と骨とのインタフェースまたは骨との接触部分の実質的な部分はスリーブ２４によって形成されている。
【００１３】
スリーブ２４は骨の代用品および／又は細胞および組織受容材料として有用な高多孔のバイオマテリアルから形成される。そのような材料の一例は、インディアナ州のWarsawにあるZimmer,Inc.から入手することのできるTrabecular Metalという商標の商品を使用して製造される。Trabecular Metalは、Zimmer Technology,Inc.の商標である。そのような材料は、米国特許第5,282,861号明細書に詳細に開示されているような気相反応法（ＣＶＤ）によって、タンタルのような生体適合材料を浸透および被覆された網状でガラス質の炭素発泡基板から形成できる。その開示は本願に含まれている。ニオブのような他の金属、又はタンタルとニオブの合金や他の金属の合金も使用できる。
【００１４】
一般に、図２に示すように、多孔のタンタルの構造４０は、開口部４４を画定する大きな複数の紐状部４２を有している。各紐状部４２は、例えば、タンタルのような金属４８の薄い膜で覆われた炭素のコア４６を有している。紐状部４２の間の開口部４４は行き止まりのない連続した溝のマトリックスを形成する。そこで、多孔のタンタルの構造４０によって海綿骨の成長は抑制されない。多孔のタンタルは、７５％ないし８５％か又はそれ以上の開口部を有している。このように、多孔のタンタルは軽量で強い多孔構造で、成分が実質的に一様で、天然の海綿骨の構造に極めて似ており、多孔のタンタルは海綿骨の成長の結果得られるマトリックスとなり、患者の顎の周囲の骨の中にインプラント２０を係止することができる。
【００１５】
多孔のタンタルの構造４０は、特定の用途の構造に合わせるために、様々な密度にすることができる。特に、上記米国特許第5,282,861号明細書に記載されているように、多孔のタンタルは、実質的に好ましい孔形状や孔の大きさを有するように製造することができる。そして、骨の内方成長および石化のために改良されたマトリックスを提供するために、周囲の天然の骨と調和させることができる。
【００１６】
使用時に、インプラント２０は患者の歯のない場所の顎の骨に孔（図示せず）を開けて、その孔に嵌め込まれる。特に、インプラント２０は、孔の中に最初にしっかりと収容するために、嵌め込むか又は押しはめあいされる。その後、インプラント２０を囲む骨の組織は、多孔のタンタルのスリーブ２４の開口部４４内にオッセオインテグレートされる。それによって、スリーブ２４とインプラント２０を周囲の骨の構造によって係止することができる。オッセオインテグレーションに続く段階において、支台歯３８ａの外側の六角形５０をインプラント２０のコア２２の内側の六角形３４に合わせることによって、支台歯３８ａをインプラント２０に固定することができる。続いて、支台歯のネジ５２を支台歯３８ａの中央の孔５６のネジ５４に沿わせてねじ込み、インプラント２０のネジ孔３６に螺着させることによって支台歯３８ａをインプラント２０にしっかりと固着することができる。その後、仮の人工的補欠物または永久の人工的補欠物（図示せず）が公知の方法によって、支台歯３８ａに固定される。
【００１７】
後記するように、他のインプラントと同様に、インプラント２０は、本願の承継人に承継された米国特許第5,989,027号に詳細に記載されているような複合組織表面を備えることができる。その特許の開示内容は本願に含まれている。例えば、多孔のタンタルのスリーブ２４は、インプラント２０の基端部２８から末端部３２に向かって孔が増加するようにすることができる。スリーブ２４は、インプラント２０の基端部２８の近傍では、実質的に中実で孔のないタンタルから形成することができる。そこで、スリーブ２４の上部が口腔の空洞に露出しても、歯垢またはバクテリアが患者の歯茎の近くのスリーブ２４に形成または存在しないように、周囲の歯茎に対してシールを形成することができる。または、インプラント２０の頭部２６が口腔の空洞に露出されるような場合には、一般的な口腔衛生技術によってバクテリアの歯垢を素速く除去できるように、コア２２の頭部２６の表面は、滑らかで磨かれたチタンで形成することができる。スリーブ２４の多孔のタンタルの構造４０の空孔の数をインプラント２０の末端部３２に向かってスリーブ２４の長さ方向に沿って増加させることにより、インプラント２０の末端部３２に向かってインプラント２０の骨の内方成長とオッセオインテグレーションを最大限に促進することができる。さらに、スリーブ２４の多孔のタンタルの構造４０の空孔の数をインプラント２０の基端部２８から末端部３２に向かって傾斜するように増加させることができる。この場合、多孔のタンタルの構造４０内の開口部４４は、インプラント２０の基端部２８から末端部３２に向かって大きくなる。
【００１８】
また、スリーブ２４を周囲の骨へオッセオインテグレーションした後、例えば、咀嚼力のようにインプラント２０に付加される力を分散させるために、コア２２をスリーブ２４に対して僅かに移動できるように、スリーブ２４をインプラント２０のコア２２に取り付けることができる。一実施形態において、スリーブ２４は僅かに圧縮可能な接着材料を介してコア２２に固定することができる。咀嚼力または他の力が人工的補欠物および支台歯を介してインプラントの頭部２６に付加されるとき、インプラント２０の頭部２６および／又はコア２２の軸部３０はスリーブ２４に対して僅かに移動することができる。他の実施形態において、圧縮リング、スプリングまたは他の形式の衝撃吸収構造物を、コア２２とスリーブ２４との相対的な移動が可能なように、コア２２とスリーブ２４の間に嵌め込むことができる。
【００１９】
図３には、インプラントの第二実施形態が示されている。本発明の別の実施形態であるインプラント６０は、インプラント本体と支台歯の両方を含む単一インプラント片として示されている。インプラント６０は、例えば、チタンで形成することができる。その本体は、基端部６２と、末端部６４と、インプラント６０と一体的に形成されてインプラント６０の基端部６２から突出している支台歯６６とを有している。インプラント６０は、上記した図１のインプラント２０と同じように、多孔のタンタルのスリーブ６８を有している。インプラント６０の末端部６４は、患者の顎の骨に開けた孔（図示せず）にインプラント６０を係止するか又は固着するためのネジ部７０を有している。インプラント６０をネジ部７０を介してその孔に係止した後、最終の人工的補欠物が形成されるまでの間、仮の人工的補欠物（図示せず）が支台歯６６に固定される。インプラント６０の骨との係合部分は、一般的に円柱状とするか又は先細り状にすることができる。
【００２０】
図４には、インプラントの第三実施形態が示されている。インプラント８０は、実質的に多孔のタンタルから形成された、一般的に円柱形状または弾丸形状の本体部分８１を有している。インプラント８０は、先細り形状にすることもできる。インプラント８０は、基端部８２と、末端部８４と、基端部８２から末端部８４に向かって部分的に伸びる中央孔８６とを有している。また、後記する図５に示すように、中央孔８６は末端部８４に向かってインプラント８０を貫通することもできる。インプラント８０は、患者の顎の骨に開けられた孔（図示せず）にねじ込むか又は回転力により圧入することができる。そこで、周囲の骨組織をインプラント８０の多孔のタンタルにオッセオインテグレートさせることができる。支台歯３８ｂをインプラント８０に固定することが望ましいとき、支台歯３８ｂのネジ付き軸部８８はインプラント８０の中央孔８６にネジ込むことができる。支台歯３８ｂのネジ付き軸部８８は中央孔８６を囲む多孔のタンタル材料に直接ネジを切るので、インプラント８０から支台歯３８ｂを引き抜こうとする力に対して抵抗となる強固な結合状態を得ることができる。また、インプラント８０の中央孔８６は支台歯３８ｂのネジ付き軸部８８をネジ込むことができるネジ付き金属スリーブを備えることもできる。その後、インプラント８０の多孔のタンタルおよび支台歯３８ｂのネジ付き軸部８８の内部およびその回りへの周囲の骨組織のオッセオインテグレーションによって、インプラント８０を周囲の骨構造へ一体化し、支台歯３８ｂとインプラント８０の接続性を向上させることができる。
【００２１】
図５と図６には、インプラント８０とともに使用することができる係止部材９０が示されている。係止部材９０は、中心軸９２、バネ力付きピボットジョイント９４、および一対の係止アーム９６を有している。インプラント８０を患者の顎の骨の孔（図示せす）内に嵌め込んだ後、係止アーム９６が中央孔８６の末端部８４を通過するまで、係止部材９０は、図５に示す後退位置にある係止アーム９６とともにインプラント８０の中央孔８６に引き込まれる。その後、係止アーム９６はバネ力付きピボットジョイント９４の張力下でピボットジョイント９４を中心として、インプラント８０の縦軸に対して垂直な方向にある伸長位置まで回転し、係止アーム９６の端部９８は患者の顎の骨の孔の中にある骨と係合する。このように、係止アーム９６は、孔からインプラント８０を引き抜こうとする力に対して最初の抵抗となる。その後、インプラント８０を周囲の骨の組織へオッセオインテグレーションした後、支台歯３８ｂは、上記のように、インプラント８０の中央孔８６にネジ込むことによって固定することができる。ここに記載したバネ力付き係止部材の実施形態に加えて、インプラントに付加的係止をするための他の構成を適用することもできる。
【００２２】
図７には、実質的に多孔のタンタルから製造された実質的に円柱形状または弾丸形状の本体１０１を有するインプラント１００の第四実施形態が示されている。インプラント１００は先細り状にすることもできる。インプラント１００は、基端部１０２と、末端部１０４と、基端部１０２からインプラント１００内に部分的に伸びている止まり孔１０６とを有している。インプラント１００は、さらに、外表面１１０から突出した一つ以上のリブ１０８を備えることができる。リブ１０８は、単一の螺旋形状のリブとすることができるし、複数の環状のリブとすることもできる。使用時に、インプラント１００は、周囲の骨に係合するリブ１０８とともに、患者の顎の骨に開けられた孔（図示せず）に嵌め込まれる。リブ１０８は、周囲の骨へのインプラント１００のオッセオインテグレーションの前にその孔からインプラント１００を引き抜こうとする力に対して最初の抵抗となる。インプラント１００の止まり孔１０６を囲む多孔のタンタルに支台歯３８ｂのネジ付き軸部８８をねじ込むことによって、図４ないし図６の実施形態に関して上記した方法と同様に、支台歯３８ｂをインプラント１００に固定することができる。また、インプラント１００の止まり孔１０６は、支台歯３８ｂのネジ付き軸部８８がネジ込まれるネジ付き金属スリーブを備えることができる。
【００２３】
図８と図９には、それぞれ第五および第六実施形態が示されている。インプラント１２０はインプラント６０（図３）と同じように構成されており、インプラント１３０はインプラント２０（図１）と同じように構成されている。このように、インプラント１２０と１３０は、インプラント２０および６０に対して上記したように、多孔の本体を支台歯に接続するための構造を有している。また、インプラント１２０は、インプラント６０上のスリーブ６８と同じように、好ましくはタンタルの多孔部分またはスリーブ１２６内で伸びている軸部１２３（破線で示す）を備えたコア１２２を有している。コア１２２は、インプラント６０の末端のネジ部７０と同じようなネジ部１２７を形成するために、スリーブ１２６の下方まで伸びている。さらに、インプラント１３０は、インプラント２０のスリーブ２４と同じように、コア１３２の軸部１３３および末端部または頂点部１３１の両方を覆う多孔のスリーブ１３６を有している。
【００２４】
ここで、コア１２２と１３２は、顎の骨の孔（図示せず）にインプラントを挿入するときに骨の切断を容易にすること及び／又は骨からの引き抜きに対して抵抗となるように、スリーブ１２６および１３６を通って伸びている突出部１２４および１３４を有している。突出部１２４および１３４は、好ましくは、それぞれ軸部１２３と１３３に沿って伸びる螺旋状のリブまたはネジ部１２８および１３８である。ネジ部１２８および１３８は、それぞれスリーブ１２６および１３６の螺旋状の開口部１２５および１３５を通って伸びている。螺旋状のネジ部１２８および１３８は、インプラントのコア上の多孔のスリーブ１２６および１３６を通過して伸びており、開口部によって形成される螺旋状の通路に沿って連続しているか又は分離した状態で、スリーブ１２６および１３６の開口部１２５および１３５の部分において伸びる。
【００２５】
図１０には、歯科用インプラントの第七実施形態が示されている。歯科用インプラント１４０は、歯科用インプラント８０の本体８１（図４）に類似している、タンタルのような多孔材料から製造された本体１４２を有している。本体１４２は、支台歯コネクタ１４６に取り付けるための孔１４４を有している。孔１４４は、本体８１に対して説明したように、止まり孔またはネジ付きスリーブとすることができる。
【００２６】
支台歯コネクタ１４６は、本体１４２の基端表面または冠状表面１５８を覆っており、支台歯に接続するための多くの異なる形状をとることができる。一形態において、支台歯コネクタ１４６は、インプラント８０の支台歯３８ｂと同じように、一体となった支台歯および孔１４４によって受け入れられるネジ付きシャンク（図示せず）を備えることができる。また、支台歯コネクタ１４６は、図１に示すネジ５２に類似するネジを受け入れるために、孔１５４とともに支台歯３８ａに類似する支台歯１４８を備えることができる。さらに、支台歯コネクタ１４６は支台歯と分離することもでき、支台歯に係合するためのスプライン構造１５２（破線で示す）、六角形構造または他の構造のような反回転構造を含む支台歯インタフェース構造を備えることができる。これらの構造はネジを受け入れるために孔１５４を使用することができる。支台歯コネクタ１４６が支台歯と一体であろうとなかろうと、支台歯コネクタ１４６の孔１５４は本体１４２の孔１４４と心が合い、両方の孔は支台歯コネクタ１４６と支台歯（もし、分離しているならば）を本体１４２に固定するためのネジを受け入れることができる。
【００２７】
多孔の本体１４２および支台歯コネクタ１４６の間の密着はめあい又は押しはめあいを達成するために、コネクタ１４６は開口部１６０を形成するフランジ１５６を有している。フランジ１５６は、本体１４２の冠状表面１５８の円周部に適合するように、好ましくは円筒状または他の形状をとることができる。そのような形状を有し、本体１４２の冠状端部または表面１５８を開口部１６０に押し付けることによって、本体１４２を支台歯コネクタ１４６に接続することができる。図示された好ましい実施形態は、保持ネジ、ネジ付きシャンク、補強部材（後記）、溶接または接着剤のような本体１４２とコネクタ１４６の間の他の接続構造に加えて、押しはめあい接続が採用されていることを示しているけれども、押しはめあい接続は支台歯コネクタ１４６および多孔の本体１４２の間の唯一の接続であることが分かる。
【００２８】
この実施形態において、本体１４２の断面の大きさは変化しており、先細りの外表面１６２は末端部方向に伸びるとき、内方に向かっている。先細りの表面１６２は隣接する歯の付け根との干渉を少なくし、咀嚼力によって生成する圧縮力の向きを、インプラントの縦軸に対して横方向に向き直して分散させるという働きをする。先細りの表面１６２は、インプラントを顎の骨の孔の中に挿入するとき、インプラントの心を顎の骨の孔の心に合わせるのに役に立つ。
【００２９】
図１１および図１２には、インプラントの第八実施形態が示されている。インプラント１７０は、実質的に多孔の本体１７２を強化するために埋設された補強部材１７１を有している。これらの補強部材はインプラントを最大限強化するために、応力が最大となる位置に配置することができる。これらの位置はインプラントの中心の近傍または外表面の近傍である。本体１７２は、上記したインプラント８０の本体８１のような材料を有している。インプラント１７０は、本体１７２の冠状端部１７６に配置された支台歯コネクタ１７４を有している。支台歯コネクタ１７４は、特定の支台歯接続形状に限定されない。インプラント１７０に対して、補強部材１７１は、本体１７２の中央の縦軸Ｃと心が合っている補強部材を備えることができるが、好ましくは中央の縦軸Ｃから半径方向に少し心がずれた複数の補強部材１７８、１８０、１８２および１８４を有している。一形態において、補強部材１７８、１８０、１８２および１８４は長く伸びた棒状であり、チタンを含んで、上記した支台歯コネクタ１７４、コア２２および６２と同じか又は類似の材料から製造することができる。補強部材１７８、１８０、１８２および１８４は、軸Ｃの回りに一様に配置することができ、頂点から末端に向かって、又は高い位置から低い位置に向かって伸びている。この構造によって、補強部材１７８、１８０、１８２および１８４は、咀嚼力によってインプラントに衝撃を与える圧縮力を分散する。本実施形態において、支台歯コネクタ１７４を多孔本体１７２に係止するために、補強部材１７８、１８０、１８２および１８４は支台歯コネクタ１７４から伸びている。この場合、補強部材１７８、１８０、１８２および１８４は、支台歯コネクタと一体に形成されるか、溶接されるか又は他の手段で支台歯コネクタと接続される。その結果、支台歯コネクタ１７４の衝撃力は直接補強部材１７８、１８０、１８２および１８４に伝達され、その力を分散させることができる。
【００３０】
支台歯コネクタ１７４は、フランジ１５６に類似する付属フランジ１８６（破線で示す）を備えており、支台歯コネクタ１７４は、インプラント１４０について記載したように、支台歯コネクタ１７４と多孔の本体１７２の間の押しはめあい接続を達成しうるような大きさである。
【００３１】
上記とは別の形態として、補強部材１７１に加えて、支台歯コネクタ１７４は、インプラント１７０の強度を増加するためのものである中央のコア（破線で示す）１８８の一部とすることもできる。補強部材１７８、１８０、１８２および１８４はコア１８８の中心から半径方向に離れて、円周方向に均等間隔で配置されており、基端部から末端部に向かってコア１８８の中心に向かうように傾斜している。
【００３２】
図１３は、コアと付加的な補強部材を備えた別の歯科用インプラント２００を示している。インプラント２００は、支台歯接続形状の一実施例として、支台歯２１０を備えた支台歯コネクタ２０２を有している。支台歯コネクタ２０２は、多孔の本体２０６まで伸びている中央のコア２０４を有している。本体２０６は補強部材２０８を有している。補強部材２０８とコア２０４を組み合わせることによって、老人の患者に起こる顎の骨の損失を補償するような強さを付与することができる。多孔の本体２０６の外側表面で測定したときに、大きく補強され、短く、幅が広いインプラント２００は、特に臼歯の代替えとして適している。このように、一実施形態として、多孔の本体２０６は、約６mmの幅Ｗと約６mmの高さｈとを有している。補強部材２０８は、上記したインプラント１７０の補強部材１７８、１８０、１８２および１８４と同じように配置し、同じような方向へ向けることができる。しかし、この実施形態においては、補強部材２０８は支台歯コネクタ２０２に接続されておらず、内側に向かって傾斜していない。
【００３３】
図１１−図１３に示す補強部材の形態としては、図に示すもの以外のものを含むことができる。多孔の本体とは異なる材料からなる中央のコアに付加して補強部材を備えることができるし、また、補強部材を中央のコアの代わりに備えることができる。補強部材は、頂点と頂点を結ぶ方向（または上下方向）以外の方向または頂点と頂点を結ぶ方向に一般的に伸長させることができる。
【００３４】
上記から、中央に位置するコア、中央からずれているコア、中実のコア、すべてが中空であるコアまたは一部が中空であるコアのいずれのコアであろうと、多孔材料用の補強部材はコアを含むことができる。中央のコアが存在していても存在していなくても、補強部材は中央からずれた補強部材を含むことができる。コアが多孔材料から突出していても突出していなくても、補強部材は多孔材料から突出することができる。
【００３５】
多孔の本体２０６は、ここに記載した多孔の本体および多孔のスリーブと同様に、先細りの表面１６２に類似する先細りの外表面２１２を有することができる。
【００３６】
本発明の好ましいデザインについて記載したが、本発明の技術的範囲を逸脱しない範囲において適宜修正が可能である。本願は、本発明の原理を変形するもの、本発明の原理を使用するもの、本発明の原理を改造するものも含んでいる。さらに、本願は、本発明が関連する技術分野で公知の技術手段又は慣用されている技術手段を使用して本発明から発展させたもので、本発明の技術的範囲内であるものを含んでいる。
【図面の簡単な説明】
【００３７】
【図１】図１は、コアと、多孔のタンタルのスリーブと、支台歯と、支台歯ネジとを有する歯科用インプラントを含む歯科用インプラントシステムの分解断面図である。
【図２】図２は、多孔のタンタルの構造を示す、図１のインプラントの多孔のタンタルのスリーブの一部の拡大破断図である。
【図３】図３は、インプラント本体と支台歯を含む歯科用インプラントの第二実施形態の一部が断面であるものを示す図である。
【図４】図４は、歯科用インプラントの第三実施形態の断面図と支台歯の正面図である。
【図５】図５は、図４の歯科用インプラントの断面図と係止部材の正面図である。
【図６】図６は、図５に続くもので、係止部材の展開図と支台歯を示す図である。
【図７】図７は、歯科用インプラントの第四実施形態の断面図と支台歯の正面図である。
【図８】図８は、歯科用インプラントの第五実施形態の正面図であり、歯科用インプラントの多孔部分を通って突出するネジ部を示している。
【図９】図９は、歯科用インプラントの第六実施形態の断面図であり、歯科用インプラントの多孔部分を通って突出するネジ部を示している。
【図１０】図１０は、歯科用インプラントの第七実施形態の断面図であり、さらに、多孔のインプラント本体に押しはめあいされた頭部を示してしる。
【図１１】図１１は、歯科用インプラントの第八実施形態の断面図であり、さらに、中心から外れた補強部材を備えた歯科用インプラントの多孔部分を示している。
【図１２】図１２は、図１１の線XII-XII矢視断面図である。
【図１３】図１３は、歯科用インプラントの第九実施形態の断面図であり、中央のコアと、中心から外れた複合コアを備えたインプラント本体とを示している。
【符号の説明】
【００３８】
２０  インプラント
２２  コア
２４  スリーブ
２６  頭部
２７  下端部
２８  基端部
２９  端部
３０  軸部
３２  末端部
３４  内側六角形
３６  ネジ孔
３８ａ  支台歯
３８ｂ  支台歯
４０  多孔のタンタル
４２  紐状部
４４  開口部
４６  炭素のコア
４８  金属の薄膜
５０  外側六角形
５２  ネジ
５４  ネジ
５６  中央の孔
６０  インプラント
６２  基端部
６４  末端部
６６  支台歯
６８  スリーブ
７０  ネジ部
８０  インプラント
８１  本体部分
８２  基端部
８４  末端部
８６  中央孔
８８  ネジ付き軸部
９０  係止部材
９２  中心軸
９４  バネ力付きピボットジョイント
９６  係止アーム
９８  端部
１００  インプラント
１０１  本体
１０２  基端部
１０４  末端部
１０６  止まり孔
１０８  リブ
１１０  外表面
１２０  インプラント
１２２  コア
１２３  軸部
１２４  突出部
１２５  開口部
１２６  スリーブ
１２７  ネジ部
１３０  インプラント
１３１  末端部
１３２  コア
１３３  軸部
１３４  突出部
１３５  開口部
１３６  スリーブ
１４０  インプラント
１４２  本体
１４４  孔
１４６  支台歯コネクタ
１４８  支台歯
１５２  スプライン構造
１５４  孔
１５６  フランジ
１５８  冠状表面
１６０  開口部
１６２  先細り表面
１７０  インプラント
１７１  補強部材
１７２  本体
１７４  支台歯コネクタ
１７６  冠状端部
１７８  補強部材
１８０  補強部材
１８２  補強部材
１８４  補強部材
１８６  フランジ
１８８  コア
２００  インプラント
２０２  支台歯コネクタ
２０４  コア
２０６  本体
２０８  補強部材
２１０  支台歯
２１２  先細りの外表面
【図１】
0005438967.tif 000002
【図２】
0005438967.tif 000003
【図３】
0005438967.tif 000004
【図４】
0005438967.tif 000005
【図５】
0005438967.tif 000006
【図６】
0005438967.tif 000007
【図７】
0005438967.tif 000008
【図８】
0005438967.tif 000009
【図９】
0005438967.tif 000010
【図１０】
0005438967.tif 000011
【図１１】
0005438967.tif 000012
【図１２】
0005438967.tif 000013
【図１３】
0005438967.tif 000014